(57)【要約】【課題】料金として収受する貨幣を収納する金庫に、満杯近く収納された硬貨の回収作業を能率よく行なうこと。【解決手段】収納金処理装置筐体１３に設置される硬貨投入口１７と、この硬貨投入口１７へ投入した硬貨を収納するよう収納金処理装置筐体１３内に着脱自在に設置される硬貨用金庫２１と、この硬貨用金庫２１に所定量の硬貨が収納されたことにより、この所定量の硬貨の貨幣堆積量を検知して作動するセンサと、このセンサの作動により硬貨用金庫２１内の貨幣の堆積量の状況を外部へ表示する表示灯３０とを備える。【選択図】  図２
2005235081.tif 000002
【特許請求の範囲】
【請求項１】
収納金処理装置筐体に設置される硬貨投入口と、
この硬貨投入口へ投入した硬貨を収納するよう収納金処理装置筐体内に着脱自在に設置される硬貨用の金庫と、
この硬貨用の金庫に所定量の貨幣が収納されたことにより、この所定量の硬貨の貨幣堆積量を検知して作動するセンサと、
このセンサの作動により、金庫内の貨幣の堆積量の状況を外部へ表示する表示灯とを具備したことを特徴とする収納金処理装置。
【請求項２】
収納金処理装置筐体に設置される貨幣投入口と、
この硬貨投入口へ投入した貨幣が金種別に収納されるよう、収納金処理装置筐体内に着脱自在に設置される貨幣用の複数の金庫と、
この貨幣用の複数の金庫の少なくとも１つに所定量の硬貨が収納されることにより、この所定量の貨幣の堆積量を検出し作動するセンサと、
このセンサの作動により、金庫内の貨幣の堆積量の状況を金庫別に外部へ表示する表示灯とを具備したことを特徴とする収納金処理装置。
【請求項３】
前記複数個の金庫の内、収納される貨幣の堆積量の比較的多い金種用の金庫を他の金庫に比して収納容量を大きくしたことを特徴とする請求項２記載の収納金処理装置。
【請求項４】
前記表示灯は、金庫収容室扉が開放状態において、前方より見える位置に設置したことを特徴とする請求項１または２記載の収納金処理装置。
【請求項５】
前記表示灯は、ダイオード発光素子であることを特徴とする請求項１または２記載の収納金処理装置。
【請求項６】
収納金処理装置筐体に設置される貨幣投入口と、
この貨幣投入口へ投入した貨幣が収納されるよう、収納金処理装置筐体内に着脱自在に設置される貨幣用の金庫と、
この金庫に収納される貨幣堆積量を測定するセンサと、
このセンサにより測定された結果得られた測定データを外部から目視できるよう表示する、収納金処理装置筐体側に設置した貨幣堆積量表示装置とを具備したことを特徴とする収納金処理装置。
【請求項７】
前記貨幣堆積量表示装置には、貨幣堆積量をグラフまたは数字により表示する表示画面を備えたことを特徴とする請求項６記載の収納金処理装置。
【請求項８】
収納金処理装置筐体に設置される貨幣用の金庫に所定量の貨幣が堆積された時に、表示灯の点灯または消灯させるように、前記貨幣の堆積量を予め設定するステップと、
前記貨幣用の金庫に、前記所定量の貨幣が投入されたときに、この貨幣の堆積量をセンサにより検出するステップと、
この貨幣の堆積量を検出したセンサの作動により、金庫内の貨幣の堆積量の状況を表示灯により外部へ表示するステップとを具備することを特徴とする収納金処理装置の収納金堆積量表示方法。
【請求項９】
金庫内の貨幣の堆積量の状況の表示を、表示灯の点灯、消灯、点滅のいずれかの組合せにより行なうことを請求項８記載の収納金処理装置の収納金堆積量表示方法。
【請求項１０】
収納金処理装置筐体に貨幣を収納する金庫が複数設置される場合に、表示灯を複数の金庫のそれぞれに対応させて、それぞれの金庫内の貨幣の堆積量の状況を表示灯の点灯、消灯、点滅のいずれかの組合せにより行うことを特徴とする請求項８記載の収納金処理装置の収納金堆積量表示方法。
【請求項１１】
収納金処理装置筐体に設置される貨幣用の金庫に投入された貨幣の堆積量をセンサにより検出するステップと、
このセンサにより検出した貨幣の堆積量を貨幣堆積量表示装置の表示画面に表示するステップとを具備することを特徴とする収納金処理装置の収納金堆積量表示方法。
【請求項１２】
前記貨幣堆積量表示装置の表示画面に表示される貨幣堆積量をグラフまたは数字により表示することを特徴とする請求項１１記載の収納金処理装置の収納金堆積量表示方法。
【発明の詳細な説明】
【技術分野】
【０００１】
本発明は、有料道路や駐車場等の料金所等に設置され、収受した貨幣を収納する収納金取扱い・処理技術の改良に係り、特に収受した硬貨を収納するために着脱可能に設置される金庫の着脱作業をより効率的に行なうことができる収納金処理装置およびその収納金堆積量表示方法に関する。
【背景技術】
【０００２】
収納金処理装置に着脱自在に設置される硬貨専用に収納する金庫から硬貨を回収するにあたって、この金庫が収納金処理装置筐体から着脱可能状態にあるか否かを事前に識別できるようにした収納金処理装置が特開平６−１７６２４３号公報（特許文献１参照）に開示されている。
【０００３】
従来の収納金処理装置は、図７に示すように、収納金処理装置筐体１を外郭とし、この収納金処理装置筐体１内に金庫２が着脱自在に収容されるようになっており、この金庫２の傍らに表示灯を設けるようにしたものである。
【０００４】
このように構成された収納金処理装置３の収納金処理装置筐体１には、その金庫収容室４の下部および側面にガイド５，５が設けられ、このガイド５，５に沿って、硬貨専用の金庫２が挿脱自在に設けられる。金庫２の前面には取手６が取り付られ、取扱者がこの取手６を把持して挿脱操作できる構成となっている。
【０００５】
また、この金庫２には、錠７が設けられ、取り出す際には施錠を解除することにより取り出し可能となっている。更に、この収納金処理装置３は、金庫２に硬貨の出し入れをしていない時には金庫２の取り出しが可能であることを外部に表示にする表示ランプ８が設置されている。
【０００６】
この収納金処理装置３によれば、着脱可能な金庫２が取り外しできる状態であれば表示ランプ８，８が点灯しており、この表示ランプの点灯を確認して金庫２を取り外す操作を行なうことができる。
【特許文献１】特開平６−１７６２４３号公報（第３頁第６〜１９行および図２）
【発明の開示】
【発明が解決しようとする課題】
【０００７】
この収納金処理装置３によれば、表示ランプ８の点灯の有無により、この金庫２を収納金処理装置筐体１から取り出せるかどうかを表示している。
【０００８】
表示ランプ８の点灯中には、金庫２を収納金処理装置筐体１から引き出して金庫２内から安全に収納金を回収することができるが、金庫２を取り出す際、取扱者が金庫２内にどれくらいの収納金が収納されているかの判断ができないため、都度金庫２内の貨幣の堆積量のチェックをせざるを得ず、そのチェックの時期について不必要に注意したり、またそのチェックの作業が面倒であった。
【０００９】
本発明は、このような点を考慮してなされたもので、金庫に投入された貨幣が予め定めた所定量（例えば金庫の容量の６割、あるいは９割程度等）まで入ると、この状況を表示灯により表示することにより、取扱者が貨幣の堆積量の状況を把握しやすくした収納金処理装置およびその収納金堆積量表示方法を提供することを主な目的とする。
【００１０】
また、本発明の他の目的は、複数個の金庫を設置したタイプの収納金処理装置に適用する場合において、各金庫に収納される貨幣の堆積量を目視でき、この目視により金庫の交換作業時期のタイミングの予測が立てられるようして、能率良く金庫の交換作業を行なうことができる収納金処理装置およびその収納金堆積量表示方法を提供することにある。
【課題を解決するための手段】
【００１１】
上記目的を達成するために、本発明によれば、収納金処理装置筐体に設置される貨幣投入口と、この貨幣投入口へ投入した貨幣を収納するよう収納金処理装置筐体内に着脱自在に設置される貨幣用の金庫と、この貨幣用の金庫に所定量の貨幣が収納されたことにより、この所定量の貨幣の貨幣堆積量を検知して作動するセンサと、このセンサの作動により、金庫から貨幣を取り出すタイミングであることを外部へ表示する表示灯とを備える。
【００１２】
上記目的を達成するために、本発明によれば、収納金処理装置筐体に設置される貨幣投入口と、この貨幣投入口へ投入した貨幣が金種別に収納されるよう、収納金処理装置筐体内に着脱自在に設置される貨幣用の複数の金庫と、この貨幣用の複数の金庫の少なくとも１つに所定量の貨幣が収納されることにより、この所定量の貨幣の堆積量を検出し作動するセンサと、このセンサの作動により、金庫から硬貨を取り出すタイミングであることを金庫別に外部へ表示する表示灯とを備える。
【００１３】
上記目的を達成するために、本発明によれば、収納金処理装置筐体に設置される硬貨投入口と、この硬貨投入口へ投入した硬貨が収納されるよう、収納金処理装置筐体内に着脱自在に設置される硬貨用の金庫と、この金庫に収納される貨幣の堆積量を測定するセンサと、このセンサにより測定された結果得られた測定データを外部から目視できるよう表示する、収納金処理装置筐体側に設置した貨幣の堆積量表示装置とを備える。
【発明の効果】
【００１４】
金庫に対して収納金の貨幣の堆積量が、所定量に達すると表示灯により表示するようにしたため、収納金の堆積量の状況が容易に把握できるようになり、収納金である貨幣の回収作業を能率良く効果的に行なうことができる収納金処理装置およびその収納金堆積量表示方法を提供する。
【発明を実施するための最良の形態】
【００１５】
本発明の収納金処理装置およびその収納金堆積量表示方法の実施形態について、添付図面を参照して説明する。
【００１６】
図１は、本発明における収納金処理装置を有料道路等の料金受払所に設置した状態を示す概要図である。
【００１７】
本発明における収納金処理装置１０は、例えば有料自動車道路や駐車場等の料金の収受が行われる料金受払所１１等に設置されるものである。この料金受払所１１は、例えば車両１２が有料自動車道路から一般道路へ出る時（または一般道路から有料道路入る時）に、料金所の取扱者（図示せず）が車両の運転者等から収受した料金（貨幣）を収納金処理装置１０に収納するようにしている。
【００１８】
この収納金処理装置１０には、図２に示すように、外形が例えば直方体形状を有した収納金処理装置筐体１３の前側上部に、収受した料金の内紙幣を投入する紙幣投入口１４およびこの紙幣を収納する紙幣金庫１５が設けられる。
【００１９】
また、収納金処理装置筐体１３の前側中央部には、収受した料金の内硬貨を投入する硬貨投入口１７が設けられる。
【００２０】
更に、収納金処理装置筐体１３の低部には、前記硬貨投入口１７から投入された硬貨を、それぞれ金種に応じて別々に収容する複数の硬貨用金庫２１〜２４とからなる金庫群１６を収容する金庫収容室２６が設けられる。
【００２１】
複数の硬貨用金庫２１〜２４は、それぞれ１０円，５０円，１００円および５００円硬貨の金庫で金庫収容室２６に並列して収納される。
【００２２】
上記４つの金種の内、特に１００円硬貨については、一般に有料道路における利用料金体系に照らして扱われる量が比較的多いため、１００円硬貨対応の硬貨用の金庫２２は他の硬貨用金庫２１，２３および２４に比して許容収納容量をほぼ２倍程度にしている。もちろんこれに限られず、適用する有料道路等の料金体系に応じ、各硬貨毎の金庫の収容容量は、適宜変更してもよい。
【００２３】
なお、上記４つの金種以外の金種、例えば５円および１円硬貨並びに外国硬貨、更には偽造硬貨については、その他の硬貨用金庫（図示せず）に収納されるようになっている。これらの硬貨については、扱い量が比較的少なく、定期的に取り出すようにすることができる。
【００２４】
また、この金庫収容室２６には前方から開閉自在な金庫収容室扉２７が設けられる。金庫収容室扉２７には、図３に示すように、錠３５が設けられ、図示しない鍵により施錠（開錠）できるようになっている。
【００２５】
更に、収納金処理装置筐体１３の最上部には、収受した料金、すなわち貨幣（紙幣及び硬貨）の貨幣堆積量（体積）が画面表示し得るよう例えば液晶表示による表示画面１８を有する貨幣堆積量表示装置１９が備えられている。
【００２６】
この貨幣堆積量表示装置１９は、収納金の投入される都度、貨幣（紙幣または硬貨）の堆積量の変動が例えばグラフにより表示画面１８へ表示し得るようになっている。貨幣堆積量を、グラフ表示するにあたっては、貨幣の堆積量を常時検出するセンサ（図示せず）が収納金処理装置筐体１３に設けられる。
【００２７】
このセンサは、図２に示すように、例えば金庫群１６のそれぞれの硬貨用金庫２１〜２４の容器側面部の所定位置に、図示しない発光体と、この発光体の光を検知する受光体とを備えたものである。
【００２８】
このセンサは、上記側面部の所定の高さ位置、例えば硬貨が堆積量で所定量収納された時に感知するように設けられたものである。
【００２９】
そして、このセンサから得られる貨幣堆積量データが貨幣堆積量表示装置１９の表示画面１８に表示されるようになっている。
【００３０】
この表示画面１８には、金種毎に、例えば１０円，５０円，１００円，５００円硬貨および紙幣からなる５つの金種毎にそれぞれの後述する金庫群１６（紙幣については図示せず）のそれぞれの金庫が紙幣や硬貨で満杯になるレベルが、貨幣の許容収納容量を示すグラフ群２８と、金庫内に収納状態にある貨幣の前記貨幣堆積量がグラフ群２９により表示される。
【００３１】
従って、収納金処理装置１０の取扱者をして、各グラフ群２８，２９とを対比しながら目視することにより、後どのくらい時間が経てば金庫の交換が必要になるかのタイミングを予測をすることができる。
【００３２】
符号２０は、紙幣投入口１４および硬貨投入口１７付近に設けた操作盤で、予め取扱者として定められた特定の取扱者のみが取り扱うことができるよう、この取扱者をしてＩＤ番号等の入力により認証を行なうためのものである。
【００３３】
また、この各硬貨用金庫２１〜２４に対応した前方位置の金庫収容室２６の底部には、図３に示すように、例えばＬＥＤ発光素子を用いた表示灯３０〜３３からなる表示灯群３４が設置される。
【００３４】
この表示灯群３４は、金庫群１６が金庫収容室２６側に収容されている通常時は消灯している。更に、金庫群１６が金庫収容室２６から取り出されている時は、表示灯群３４は点灯している。
【００３５】
更にまた、金庫群２５が金庫収容室２５から、取り出された後、再び収納すると点灯または点滅していた表示灯３０〜３３は、消灯するようになっている。
【００３６】
また、金庫群１６の各金庫に収納される硬貨が、金庫を出し入れする際に、例えばこぼれ落ちない程度の所定量収納されると、収納された貨幣堆積量を図示しないセンサで検出し、表示灯を点滅するように設定される。
【００３７】
従って、取扱者は金庫群１６の交換時期に金庫収容室扉２７を開き、表示灯３０〜３３を確認し、例えば表示灯３０が点滅していればこの表示灯３０に対応する硬貨用金庫２１内の硬貨の堆積量が、例えば金庫内でこぼれない程度まで堆積している状況を認知することができる。そして、硬貨用金庫２１を引き出す必要があると判断した場合には、この硬貨用金庫２１を引き出し、空の新しい金庫を、硬貨用金庫２１と差し替えるようにして、金庫収容室２６へ空金庫を収容（再セット）することができる。
【００３８】
更に、収納金処理装置１０には、図２に示すように、収納金処理装置筐体１３の頂部に貨幣堆積量表示装置１９が設けられる。
【００３９】
貨幣堆積量表示装置１９の表示画面１８には、収容金処理装置１０の紙幣投入口１４および硬貨投入口１７から投入される紙幣および硬貨（図示せず）が投入される毎に、紙幣および金種別の硬貨の枚数が表示されるようになっている。
【００４０】
また、その貨幣の枚数に基づき貨幣堆積量が搭載コンピュータ（図示せず）によるコンピュータにより数値化され、この数値が、例えばグラフにより表示されるようになっている。
【００４１】
また、硬貨については、金庫を交換しなければならない所定量まで貯まったときの目安のグラフを併用して表示される。
【００４２】
従って、取扱者はこのグラフを見て硬貨の貯まり具合を認知し、収納された硬貨の回収時期（空金庫との交換時期）のタイミングの判断を行なうことができるようになっている。
【００４３】
次に、硬貨を収納する金庫の構成について、図４を用いて、更に詳細に説明する。
【００４４】
金庫群１６の各硬貨用金庫２１〜２４には、それぞれ錠２１４，２２４，２３４および２４４が設けられる。例えば、硬貨用金庫２１は、例えば５０円硬貨を専用に収納する金庫で、図４に示すように、５０円硬貨を収納する有底筒状の金庫ケース２１１とこの金庫ケース２１１の硬貨入出口２１２を適宜に開閉する蓋２１３とにより構成される。
【００４５】
この金庫ケース２１１の前面側には錠２１４および取手２１５が設けられる。
【００４６】
蓋２１３は、前方蓋部２１３ａとヒンジ部２１６を介して開閉可能に設けられる後方蓋部２１３ｂとから構成される。この蓋２１３は、図５に示すように金庫ケース２１１を金庫収容室２６に収納する時、矢印ａ方向に引き出され（一点鎖線により図示）、金庫ケース２１の後方において硬貨出し入れ用の硬貨入出口２１２が形成される。
【００４７】
そして、蓋２１３を引き出すことにより、ヒンジ部２１６が金庫ケース２１１の前面位置まで来た時、前方蓋部２１３ａをヒンジ部２１６から下方へ折り曲げ、金庫ケース２１１の前面を覆うように装着（図示せず）するようになっている。
【００４８】
また、硬貨用金庫２１を金庫収納室２６側へ収納するときには前方蓋部２１３ａにより金庫ケース２１１の前面が覆われた状態にて行なうことができるようになっている。
【００４９】
硬貨用金庫２１は、金庫収納室２６側の正規の位置へ収容されることにより、図４に示す錠２１４が自動的に作動し施錠（図示せず）が可能になっている。
【００５０】
金庫ケース２１１の硬貨入出口２１２は、収納金処理装置１０が作動した際に、図示しない金種選別装置により金種別に分離された硬貨が導き入れられ収納されるようになっている。
【００５１】
また、例えば硬貨用金庫２１に硬貨が収納された後に、この硬貨用金庫２１を交換する場合には、先ず錠２１４を解除して金庫収容室扉２７を開放させた後、すなわち蓋２１３の前方蓋部２１３ａを引き起こして硬貨用金庫２１の錠２１４を露出させる。そして、鍵２１７を硬貨用金庫２１の錠２１４に挿入し、回動操作することにより施錠を解除することができる。
【００５２】
硬貨用金庫２１は、その蓋２１３の自由端側を持ち上げながらスライドさせて押し込むと共に、取手２１５を利用して硬貨用金庫２１ごと引き出すことができる。
【００５３】
その他の硬貨用金庫２２〜２４の構成については、硬貨用金庫２１と同様構成であるので説明を省略する。
【００５４】
なお、図２おいて、符号３７は紙幣返却口で、紙幣投入口１４から投入された紙幣が所定量、例えば１００枚単位でまとめて吐き出されるように設けられる。
【００５５】
また、符号３８は硬貨返却口で、硬貨投入口１７から投入された硬貨を金庫群１６に収納する前に、金種別選別装置を経て一時的にプールする補助的金庫でである。
【００５６】
この硬貨返却口３８は、一旦収納した硬貨を徐々に金庫群１６へ収納する仲介の役目をなすものである。
【００５７】
次に、収納金処理装置１０を取り扱いの手順を図５および図６を参照して説明する。
【００５８】
例えば、有料自動車道路の料金受払所１１において、取扱者が車両１２等の車両から料金を収受する際にしつつ、収納金処理装置１０の貨幣堆積量表示装置１９の表示画面１８を見て、例えば５０円専用の硬貨用金庫２１の堆積量を確認しようとしたとする。
【００５９】
取扱者は、収納金処理装置１０の金庫収容室扉２７の錠３５を解き、金庫収容室扉２７を開放する＜ステップ１＞。
【００６０】
取扱者は、各硬貨用金庫２２〜２４それぞれに対応して配置された各表示灯３０〜３３の点滅状態をチェックし、何れかの表示灯３０〜３３が点滅していれば、この点滅している金庫内の硬貨の堆積量の状況を取扱者をして認知することができる。
【００６１】
例えば５０円用の硬貨用金庫２２に対応する表示灯３０が点滅していたとすると、取扱者は、５０円用の金庫２２が、こぼれ落ちない程度にまで堆積していることを認識する。そして、この金庫の交換が必要か否かを判断する＜ステップ２＞。
【００６２】
そして、取扱者が、硬貨用金庫２２を引き出す必要があると判断した場合には、この硬貨用金庫２２（点滅金庫）を引き出し、空の５０円用の新しい金庫を、硬貨用金庫２１の引き出し時とは逆の手順により金庫収容室２６へ収容（再セット）する＜ステップ３＞。
【００６３】
新しい硬貨用金庫２１が金庫収容室２６の所定位置に収容されると、表示灯３０が消灯するので、表示灯３０の消灯状態をチェックする。
【００６４】
消灯していない（点灯している）ことを確認した時は、硬貨用金庫２１（点灯金庫）を金庫収容室２６へ再セットする＜ステップ４＞。
【００６５】
なお、他の硬貨用金庫２２〜２４についても、取扱者をして硬貨が所定の堆積量に達したと認知された場合には、硬貨用金庫２１と同様の手順により取り扱う。
【００６６】
このように、本発明の実施形態によれば、収納金処理装置１０の取扱者が上記＜ステップ１＞〜＜ステップ４＞の手順を踏み作業を行なうことにより、交換を必要とする金庫のみを特定し、また、その交換を確実に行なわしめることができるので、金庫の交換作業が能率的であり、また硬貨を紛失したりすることのなく安全に作業を行なうことができる。
【００６７】
また、本発明の実施形態によれば、硬貨を収納する金庫が所定量貯まり、新しい空金庫と交換すべき時期に来た時、このこの交換すべき金庫のみを確認して
金庫の交換等の作業を行なうことができるので、収納装置の作動中、例えば現金計数途中での誤操作（誤った金庫交換作業）を防止することができ、延いては、機器稼動率の向上にも貢献することができる。
【００６８】
また、表示灯群３４として、ＬＥＤによる表示手段を採用したので、点灯表示が長時間続く場合にでも極力電力消費を少なくすることができる。
【００６９】
なお、本発明の実施形態の収納金処理装置１０における貨幣堆積量表示装置１９の表示画面１８に表示されるグラフは、収納金が投入される都度、増加する貨幣堆積量の変動を更新表示するようにしたが、これから収納可能な貨幣堆積量をグラフ表示するようにすることができる。
【００７０】
また、グラフ表示に代えて、例えば「１００」を許容収納容量として実際に収納されている貨幣堆積量を数字で表示することも可能である。例えば現在の貨幣収納量を「７５」というように表示するか、またはこれから収納可能な貨幣堆積量として「２５」というように表示することができる。
【００７１】
また、表示灯群３４の表示方法として、金庫群１６が金庫収容室２６の所定の位置に正しく収容されている時、金庫群１６の何れかの金庫の交換を必要とする時、更にはこの金庫を金庫収容室２６から取り出した時のそれぞれを識別するために、それぞれ表示灯を消灯，点滅および点灯させる方法を採用したが、これらの対応関係に固定されることなく、任意に変更しても差し支えない。
【００７２】
更にまた、硬貨用金庫２２〜２４の内、例えば硬貨用金庫２２内に堆積する貨幣の量が、例えば６割程度まで堆積すれば、取扱者への表示させるようにすることもできる。つまり、取扱者の都合に併せて、任意に表示レベルを定めることができる。
【図面の簡単な説明】
【００７３】
【図１】本発明における収納金処理装置を有料道路料金所等の料金受払所に設置した状態を示す概要図。
【図２】本発明に係る収納金処理装置の実施の形態を示す斜視図。
【図３】本発明の収納金処理装置における金庫収容室の全体構成の概要を示す図。
【図４】本発明の収納金処理装置に備えられる金庫の１例を示す斜視図。
【図５】本発明の収納金処理装置に設けられる金庫収容室から金庫を取り出している状態を示す斜視図。
【図６】本発明の収納金処理装置における金庫の交換作業のフローを示す図。
【図７】従来の収納金処理装置における金庫収容室に金庫が収容された状態を示す概略図。
【符号の説明】
【００７４】
１０  収納金処理装置
１１  料金受払所
１２  車両
１３  収納金処理装置筐体
１４  紙幣投入口
１５  紙幣金庫
１６  金庫群
１７  硬貨投入口
１８  表示画面
１９  貨幣堆積量表示装置
２０  操作盤
２１〜２４  硬貨用金庫
２１１  金庫ケース
２１２  硬貨入出口（硬貨出し入れ用）
２１３  蓋
２１３ａ  前方蓋部
２１３ｂ  後方蓋部
２１４，２２４，２３４，２４４  錠
２１５  取手
２１６  ヒンジ部
２１７  鍵
２６  金庫収容室
２７  金庫収容室扉
２８，２９  グラフ群
３０〜３３  表示灯
３４  表示灯群
３５  錠
３７  紙幣返却口
３８  硬貨返却口
ａ，ｂ  矢印
【図１】
2005235081.tif 000003
【図２】
2005235081.tif 000004
【図３】
2005235081.tif 000005
【図４】
2005235081.tif 000006
【図５】
2005235081.tif 000007
【図６】
2005235081.tif 000008
【図７】
2005235081.tif 000009